(57)【要約】      （修正有）【課題】布地等の装飾材の質感を生かしつつ、装飾材に対する水の侵入を長期間に亘って防止することができるカトラリーを提供する。【解決手段】カトラリー本体１００と、前記カトラリー本体の軸方向中間部に積層された装飾材２０と、前記装飾材の表面に粘着剤を介して貼り付けられた透明フィルム３０と、前記透明フィルムから露出した前記装飾材の軸方向に位置する各端部を封止するように積層された一対の封止帯４０と、少なくとも前記各封止帯の軸方向に位置する各端上に跨るように積層された透明層５０と、を備える。【選択図】図２
2019093111.tif 000002
【特許請求の範囲】
【請求項１】
カトラリー本体と、
前記カトラリー本体の軸方向中間部に積層された装飾材と、
前記装飾材の表面に粘着剤を介して貼り付けられた透明フィルムと、
前記透明フィルムから露出した前記装飾材の前記軸方向に位置する各端部を封止するように積層された一対の封止帯と、
少なくとも前記各封止帯の前記軸方向に位置する各端上に跨るように積層された透明層と、を備えることを特徴とするカトラリー。
【請求項２】
前記透明層が、前記両封止帯の間にさらに積層された請求項１記載のカトラリー。
【請求項３】
前記装飾材の前記軸方向に位置する各端が隠れるように積層された着色層をさらに備える請求項１又は２のいずれかに記載のカトラリー。
【請求項４】
前記装飾材が、布地又は紙である請求項１乃至３のいずれかに記載のカトラリー。
【請求項５】
予め表面全体に粘着剤を介して透明フィルムが貼り付けられた装飾材を、カトラリー本体の軸方向中間部に巻き付けて積層させる第１ステップと、
前記透明フィルムから露出した前記装飾材の前記軸方向に位置する各端部を封止するように封止帯を密着させる第２ステップと、
少なくとも前記各封止帯の前記軸方向に位置する各端上に跨るように透明塗料を塗布して透明層を形成する第３ステップと、を備えることを特徴とするカトラリーの製造方法。
【請求項６】
前記封止帯が、筒状の熱収縮ラベルである請求項５記載のカトラリーの製造方法。
【請求項７】
前記装飾材の前記軸方向に位置する各端上に跨るように有色塗料を塗布して着色層を形成する第４ステップをさらに備える請求項５又は６のいずれかに記載のカトラリーの製造方法。
【発明の詳細な説明】
【技術分野】
【０００１】
本発明は、カトラリー及びその製造方法に関するものである。
【背景技術】
【０００２】
食卓で使用されるカトラリーの製造方法として、例えば、特許文献１には、スプーンの持ち代に撥水性及び防水性を備える接着剤を含侵させた布地を巻き付ける方法が開示されている。
【０００３】
しかし、前記特許文献１の方法で製造されたカトラリーは、布地に接着剤を含侵させるため、布地が硬化して質感が変化してしまい、布地そのものの質感を生かした装飾効果を得ることができなかった。
【０００４】
一方、特許文献２には、箸本体に布地を巻き付けるステップと、箸本体に布地の両端から延出する長さの熱収縮ラベルを外挿するステップと、熱収縮ラベルを加熱して布地に上から圧接し、布地と熱収縮ラベルとの間に空気を封じ込めるステップと、熱収縮ラベル上に樹脂塗料を塗布するステップと、を備える方法が開示されている。
【０００５】
前記特許文献２の方法で製造されたカトラリーであれば、熱収縮ラベルによって布地を封止するため、熱収縮ラベル越しに布地のそのままの質感を目視することができ、布地の質感を生かした装飾効果を得られる。また、熱収縮ラベル上に樹脂塗料を塗布するため、布地への水の侵入が防止され、カビが発生し難くなる。
【０００６】
しかし、前記特許文献２の方法で製造されたカトラリーは、意図的か否かを問わず、熱収縮時に熱収縮ラベルと布地との間に空気が入り込むため、熱収縮ラベル内に空気が介在している部分と空気が介在していない部分とができ、見栄えが悪くなるという問題があった。さらに、当該カトラリーを使用する場合に、空気が介在している部分が指の押圧によって凹み、これにより、熱収縮ラベル上に塗布された樹脂塗料が撓んで剥がれ易くなり、樹脂塗料が剥がれると、布地へ水が浸入し易くなってカビ等の発生の原因となるという問題がある。
【先行技術文献】
【特許文献】
【０００７】
【特許文献１】特許第４５２１８２５号公報
【発明の概要】
【発明が解決しようとする課題】
【０００８】
そこで、本発明は、布地や和紙等の装飾材の質感を生かしつつ、装飾材に対する水の侵入を長期間に亘って防止することができるカトラリー及びその製造方法を提供することを主な課題とするものである。
【課題を解決するための手段】
【０００９】
すなわち、本発明に係るカトラリーは、カトラリー本体と、前記カトラリー本体の軸方向中間部に積層された装飾材と、前記装飾材の表面に粘着剤を介して貼り付けられた透明フィルムと、前記透明フィルムから露出した前記装飾材の前記軸方向に位置する各端部を封止するように積層された一対の封止帯と、少なくとも前記各封止帯の前記軸方向に位置する各端上に跨るように積層された透明層と、を備えることを特徴とするものである。
【００１０】
このようなものであれば、布地や和紙等の装飾材に粘着剤を介して透明フィルムを貼り付けているため、装飾材の質感が損なわれず、透明フィルム越しに装飾材の質感を確認することができるようになり、意匠性の高い装飾効果を得ることができる。また、透明フィルムから露出する装飾材の軸方向に位置する各端部を封止するように封止帯を積層し、さらに、その封止帯の軸方向に位置する各端上に樹脂層を積層しているため、装飾材に対する水の浸入を防止できる。その結果、装飾材に対するカビの発生を長期間抑制できる。
【００１１】
また、前記透明層が、前記両封止帯の間にさらに積層されたものであってもよい。
【００１２】
このようなものであれば、透明層のカトラリー本体側に空気を内包され難いため、両封止帯の間に位置する装飾材上に積層された透明層が撓んで剥がれることが防止でき、長期間に亘って透明層による防水効果を維持できる。
【００１３】
また、前記カトラリーにおいて、前記装飾材の前記軸方向に位置する各端が隠れるように積層された着色層をさらに備えるものであってもよい。
【００１４】
このようなものであれば、装飾材の軸方向に位置する各端が隠れるように着色層が積層されているため、見栄えの悪い装飾材の端が外観に現れず、意匠性がさらに向上する。また、カトラリー本体が、木材や竹材等の天然素材によって形成されている場合には、着色層をカトラリー本体の両端にまで伸ばして積層することにより、カトラリー本体自体が露出する部分を着色することができ、意匠性がさらに向上すると共に、カトラリー本体の耐水性を向上させることができる。
【００１５】
なお、前記装飾材としては、布地や紙を使用すればよい。
【００１６】
また、本発明に係るカトラリーの製造方法は、予め表面全体に粘着剤を介して透明フィルムが貼り付けられた装飾材を、カトラリー本体の軸方向中間部に巻き付けて積層させる第１ステップと、前記透明フィルムから露出した前記装飾材の前記軸方向に位置する各端部を封止するように封止帯を密着させる第２ステップと、少なくとも前記各封止帯の前記軸方向に位置する各端上に跨るように透明塗料を塗布して透明層を形成する第３ステップと、を備えることを特徴とするものである。なお、この場合、前記装飾材の前記軸方向に位置する各端上に跨るように有色塗料を塗布して着色層を形成する第４ステップをさらに備えるものであってもよい。
【００１７】
また、前記カトラリーの製造方法において、前記封止帯が、筒状の熱収縮ラベルであってもよい。
【００１８】
このようなものであれば、封止帯の軸方向に位置する各端のみに熱収縮ラベルを密着させればよく、これにより、装飾材を封止するための熱収縮ラベルの幅を短くすることができ、熱収縮時に熱収縮ラベル内へ空気が内包されることを防止できる。
【発明の効果】
【００１９】
このように構成した本発明に係るカトラリーによれば、布地等の装飾材の質感を生かしつつ、装飾材に対する水の侵入を長期間に亘って防止することができる。
【図面の簡単な説明】
【００２０】
【図１】実施形態に係る箸を示す斜視図である。
【図２】実施形態に係る箸を示すＡ−Ａ断面図である。
【図３】実施形態に係る箸を示すＢ−Ｂ断面図である。
【図４】実施形態に係る箸の製造工程を示す模式図である。
【図５】実施形態に係る箸の製造工程を示す模式図である。
【発明を実施するための形態】
【００２１】
以下に、本発明に係るカトラリー及びその製造方法を図面に基づいて説明する。
【００２２】
本発明に係るカトラリーは、食卓で使用される食器であり、具体的には、箸、スプーン、フォーク、ナイフ等が含まれる。なお、以下の実施形態においては、箸について説明する。
【００２３】
＜実施形態＞  本実施形態に係る箸１００は、図１〜図３に示すように、箸本体１０と、箸本体１０の持ち代１０ａに積層された布地（装飾材）２０と、布地２０の表面全体に粘着剤を介して積層された透明フィルム３０と、透明フィルム３０から露出した布地２０の持ち代１０ａの軸方向（図１中、矢印方向であり、以下、単に「軸方向」ともいう）に位置する各端部２０ａ，２０ｂを封止するように積層された封止帯４０と、少なくとも封止帯４０の前記軸方向に位置する各端４０ａ，４０ｂ上に跨るように積層された透明層５０と、布地２０の各端部２０ａ，２０ｂを隠すように積層された着色層６０と、を備えている。なお、箸本体１０は、請求項におけるカトラリー本体に対応している。
【００２４】
前記箸本体１０は、箸の形状に成形された棒状のものである。よって、箸本体１０は、先細り状（テーパー状）になっている。本実施形態においては、箸本体１０の材料として、木材や竹材等の吸水性を有する材料を使用している。なお、木材としては、例えば、マラス、スギヒノキ、エゾ松、又は、シラカバ等を挙げることができる。
【００２５】
前記布地２０は、糸を織った織地や糸を編んだ編地であり、各糸が密に組み合わされたもの以外にも、糸が疎に組み合わされたレース状のものも含まれる。そして、布地２０は、箸本体１０の持ち代１０ａに対して周方向に一周巻き付けて積層されている。なお、布地２０には、その表面全体を被覆するように透明フィルム３０が積層されている。なお、布地２０の代わりの装飾材として、和紙等の紙を使用してもよい。すなわち、この装飾材としては、水が染み込むものであって、水によって腐食したり、カビが発生する自然素材からなるシート状のものを使用することが好適である。
【００２６】
前記透明フィルム３０は、耐水性や撥水性を有するフィルムである。具体的には、透明フィルム３０のとしては、ポリ塩化ビニリデン等を素材とするラップフィルムなどを使用することができる。本実施形態では、透明フィルム３０は、粘着剤によって布地２０の表面全体に貼り付けられている。なお、透明フィルム３０は、布地２０の模様が透けて見える程度に透明なものであればよく、無色透明、有色透明、半透明が含まれる。また、粘着剤は、塗布後に硬化しないものを使用すればよい。
【００２７】
前記封止帯４０は、熱収縮ラベル（シュリンクラベル）である。熱収縮ラベルは、筒状のものである。具体的には、熱収縮ラベルは、熱収縮前の状態で箸本体１０の布地２０が貼り付けられた持ち代１０ａが余裕をもって挿入できる程度の内径を有しており、熱収縮後に箸本体１０の持ち代１０ａに密着するようになっている。また、封止帯４０は、箸本体１０に巻き付けられた布地２０の軸方向に位置する各端部２０ａ，２０ｂ上に跨るように配置された状態で、その各端２０ａ、２０ｂを封止するように熱収縮して密着している。
【００２８】
前記透明層５０は、耐水性や撥水性を有する透明塗料を塗布して形成された層である。なお、透明層５０は、封止帯４０の軸方向に位置する各端４０ａ，４０ｂ上に跨るように積層されている。これにより、封止帯４０と箸本体１０又は布地２０との間の隙間が封止され、この隙間から水が浸入することを防止できる。なお、本実施形態においては、透明層５０が、箸本体１０全体に積層されている。なお、透明層５０は、布地２０の模様が透けて見える程度の透明性を有するものであればよく、無色透明、有色透明、半透明が含まれる。樹脂塗料としては、例えば、ポリプロピレン、アクリル等を使用すればよい。
【００２９】
前記着色層６０は、耐水性や撥水性を有する有色塗料を塗布して形成された層である。なお、着色層６０は、封止帯４０越しに見える布地２０の各端部２０ａ，２０ｂが隠れるように積層される。これにより、封止帯３０を介して見える見栄えの悪い布地２０の各端部２０ａ，２０ｂを隠すことができる。よって、有色塗料は、透明性を有しないものが好ましい。本実施形態においては、着色層５０が、布地２０の各端２０ａ，２０ｂを隠すように箸本体１０の両端（箸先及び箸頭）まで積層されている。有色塗料としては、例えば、漆等の天然樹脂塗料や合成樹脂塗料を使用すればよい。
【００３０】
次に、本実施形態に係る箸１００の製造方法を図４及び図５に基づき説明する。
【００３１】
先ず、図４（ａ）に示すように、表面全体に粘着剤を塗布して透明フィルム３０を貼り付けた布地２０を製作する。ここで、布地２０は、箸本体１０に対して巻き付ける大きさよりも大きめに製作した後に、持ち代１０ａの幅を有し、かつ、その持ち代１０ａを周方向に一周する長さを有する大きさに切断したものを使用する。そして、図４（ｂ）に示すように、箸本体１０の持ち代１０ａに布地２０を一周巻き付けて粘着剤又は接着剤によって貼り付ける。この状態において、透明フィルム３０が貼り付けられた布地２０の各端部２０ａ，２０ｂ（本実施形態では、布地２０の端面、言い換えれば、透明フィルム３０が貼り付けられた布地２０の切断面）が透明フィルム３０から露出した状態となる。
【００３２】
次に、箸本体１０の持ち代１０ａに貼り付けられた布地２０の透明フィルム３０から露出する各端部２０ａ，２０ｂを封止帯３０によって封止する。なお、本実施形態では、図４（ｃ）に示すように、先ず、箸本体１０に巻き付けられた布地２０の軸方向に位置する各端部２０ａ，２０ｂに、その端部２０ａ，２０ｂ上に跨るように筒状の熱収縮ラベルを配置し、その後、図４（ｄ）に示すように、熱収縮ラベルを加熱して収縮させることによって封止している。
【００３３】
次に、各封止帯４０の軸方向に位置する各端４０ａ，４０ｂ上に跨るように透明の塗料を塗布して透明層５０を形成する。なお、本実施形態においては、図５（ａ）に示すように、箸本体１０全体に透明の塗料を塗布し、各封止帯４０の各端４０ａ，４０ｂ上に跨る透明層５０を形成している。
【００３４】
次に、各封止帯４０越しに見える前記布地２０の各端部２０ａ，２０ｂを隠すように有色の塗料を塗布して着色層６０を形成する。なお、本実施形態においては、図５（ｂ）に示すように、箸本体１０の一方の封止帯４０を含む箸頭側までと、箸本体１０の他方の封止帯４０を含む箸先側までと、にそれぞれ有色塗料を塗布し、箸本体１０の両封止帯４０の間の領域を除く箸頭側及び箸先側に着色層６０を形成している。これにより、両封止帯４０の間の領域から布地２０の模様が目視できるようになる。
【００３５】
＜その他の実施形態＞  前記実施形態においては、封止帯４０として筒状の熱収縮ラベルを使用したが、これに限定することなく、封止帯４０として、例えば、透明粘着テープを使用してもよい。
【００３６】
また、前記実施形態においては、箸本体１０の一箇所（持ち代１０ａ）に布地２０を巻き付けているが、箸本体１０の複数箇所に布地２０を巻き付けるようにしてもよい。
【００３７】
また、前記実施形態においては、箸を例示して説明したが、例えば、フォーク、スプーン、ナイフ等であってもよい。
【００３８】
その他、本発明は前記各実施形態に限られず、その趣旨を逸脱しない範囲で種々の変形が可能であるのは言うまでもない。
【符号の説明】
【００３９】
１００  箸（カトラリー）
１０  箸本体
２０  装飾材
３０  透明フィルム
４０  封止帯
５０  樹脂層
６０  着色層
【図１】
2019093111.tif 000003
【図２】
2019093111.tif 000004
【図３】
2019093111.tif 000005
【図４】
2019093111.tif 000006
【図５】
2019093111.tif 000007